(57)【要約】ポリマーからなるシールと、このようなシールから発生するほこりの影響を受けやすいクランクメカニズムとを有するオイルレス圧縮機には、クランクメカニズムをこのようなほこりに曝すのを防止し、ほこりを遮断する障壁が設けられている。圧縮機の第１のステージは、クランクケースからの圧縮機による吸引を果たして、差圧と、シールのほこりをクランクメカニズムから一掃するガス流とを生じさせることが好ましい。
2008533365.tif 000002
【特許請求の範囲】
【請求項１】
ガス圧縮アッセンブリであって、
ａ）乾性のシールを有したピストンと、少なくとも１つのシリンダとを備えている第１のステージを少なくとも有しているガス圧縮機と、
ｂ）前記ピストンに接続され、クランクケースのキャビティ内に延びているピストンロッドと、
ｃ）このピストンロッドを動作させるように、前記クランクケースのキャビティ内に配設されているクランクメカニズムと、
ｄ）ガス源に接続されて、前記第１のステージにガスを吐出するための低圧ガスの供給口と、
ｅ）前記ガス圧縮機に設けられ、外部のリザーバに圧縮ガスを吐出するための高圧ガスの吐出口とを具備し、
さらに、前記クランクケースのキャビティ内に防塵容器を具備し、この防塵容器は、前記クランクケースに固定され、前記ピストンロッドが貫通した側壁を有し、また、この防塵容器は、前記乾性のシールと前記クランクメカニズムとの間に仕切りを形成し、この仕切りは、前記乾性のシールからのほこりが、クランクメカニズムに入るのを遮断しているガス圧縮アッセンブリ。
【請求項２】
前記低圧のガス供給口は、前記防塵容器のクランクシャフト側で、前記クランクメカニズムの領域の前記クランクケースのキャビティにガスを吐出し、前記圧縮機の第１のステージは、圧縮されるガスの圧縮機の吸引を、前記防塵容器のピストン側で、前記クランクケースのキャビティからシリンダの供給バルブを通して果たし、また、ガスの流路が、前記防塵容器のピストン側で、前記クランクメカニズムの領域から、前記クランクケースのキャビティの部分に延びており、従って、差圧が、動作中に、前記防塵容器により形成された前記仕切り全体に渡って発生され得る請求項１のガス圧縮アッセンブリ。
【請求項３】
前記防塵容器は、前記側壁をなしたスリーブ若しくはキャップの形態であり、前記側壁は、ほこりを遮断するダストシールが装着されたこの側壁を貫通している貫通部を有し、この貫通部を、前記ピストンロッドが通っている請求項１又は２のガス圧縮アッセンブリ。
【請求項４】
前記ダストシールは、フェルト材からなるワッシャーの形態である請求項３のガス圧縮アッセンブリ。
【請求項５】
前記圧縮機は、各ステージ用のピストンロッドと、各ピストンロッド用の防塵容器の貫通部とを有する複ステージ圧縮機である請求項１，２，３，若しくは４のガス圧縮アッセンブリ。
【請求項６】
前記クランクメカニズムは、前記クランクケースのキャビティ中に延びているシャフトに接続された２つ以上のスコッチヨークを有している請求項５のガス圧縮アッセンブリ。
【請求項７】
前記圧縮機は、対をなし、互いに対向し、そして真っ直ぐに往復移動するピストンを備えた４ステージ圧縮機である請求項６のガス圧縮アッセンブリ。
【発明の詳細な説明】
【技術分野】
【０００１】
本発明は、高圧ガスを貯蔵用のリザーバに吐出するオイルレス圧縮機に関する。特に、本発明は、ガス燃料で動作する自動車に燃料を供給するための家庭用燃料供給装置に関する。
【背景技術】
【０００２】
圧縮ガスに微量の潤滑剤を導入することなく、ガスを高圧、例えば３０００ｐｓｉに圧縮する必要のある多くの適用例が、存在している。かくして、天然ガスを燃料とする自動車は、自動車により支持されたタンク、即ちリザーバに吐出されるガスを圧縮するために、オイルレス圧縮機を必要とし得る。これは、本発明の適用例の好ましい一例である。
【０００３】
従来、天然ガスを燃料とする自動車は、一般に、商業的な燃料供給施設で補給されている。また、住宅地で利用可能な低圧の天然ガスラインから、圧縮された天然ガスを生成する家庭用の燃料供給システムが、存在している。特に家庭用の燃料供給装置において、このようなユニットが、長期間、無人操作で導入されることは、望ましい。本発明の特徴が与えられたオイルレス圧縮機は、これら用途の両方に特に適しているが、本発明は、汚染されたほこりを発生させる乾性のシールを有するオイルレス圧縮機が用いられる場合の一般的な適用例である。
【発明の開示】
【発明が解決しようとする課題】
【０００４】
オイルを使わない高圧ガス圧縮機において、圧縮は、ポリマーからなるリング材の使用を基礎にして、乾性のシールにより維持されることが好ましい。このシステムの欠点は、ポリマーからなるリング材が、圧縮メカニズムのベアリングにダメージを与えかねないほこりを発生させてしまうことである。このようなほこりから圧縮機内に生じ得る摩耗並びにダメージを減じるシステムの必要性がある。本発明は、このような必要性に対処している。
【０００５】
本発明の一般的な形態が、最初に説明され、次に、特定の実施形態に関する本発明の実施が、以下の図面に関連して詳述される。これら実施形態は、本発明の原理と、本発明の実施の方法とを説明するように意図されている。本発明の最も範囲が広い、また比較的明確な形態は、本明細書を結論付ける個々の請求項の各々に、さらに記載並びに規定されている。
【課題を解決するための手段】
【０００６】
本発明は、オイルレス圧縮機、特に、ガスを燃料とする自動車に燃料を供給するための複ステージ圧縮機に関する。従って、本発明は、一態様において、以下のようなガス圧縮アッセンブリに対応している。このガス圧縮アッセンブリは、
ａ）乾性のシールを有し、かつピストンロッドが接続されたピストンと、少なくとも１つのシリンダとを備え、前記ピストンロッドは、クランクケースのキャビティ中に延びている第１のステージを少なくとも有しているガス圧縮機と、
ｂ）前記ピストンロッドを動作させるように、前記クランクケースのキャビティ内に配設されているクランクメカニズムと、
ｃ）ガス源に接続されて、前記第１のステージにガスを吐出するための低圧ガスの供給口と、
ｄ）外部のリザーバに圧縮ガスを吐出するための高圧ガスの吐出口とを具備している。
【０００７】
この圧縮アッセンブリは、さらに、前記ピストンロッドが貫通した側壁を備えた防塵容器を有している。この防塵容器は、前記乾性のシールとクランクメカニズムとの間の仕切りを形成し、この仕切りは、乾性のシールからのほこりがクランクメカニズムに入るのを実質的に制限している。
【０００８】
前記防塵容器は、装着されているときに、防塵容器の側壁を貫通した貫通部を有するキャップを形成しているスリーブの形態であることが好ましい。側壁は、ロッドが貫通し、かつほこりを遮断するシールを有している。このようなシールは、フェルトのような材料で形成されたワッシャーのようなリングの形態であることが好ましい。この装置は、防塵容器のピストン並びにシリンダ側に留まるようにシールリングの劣化により発生されるほこりを効果的に制限している。
【０００９】
本発明の更なる変形例に従えば、前記低圧ガスの供給口は、ガスをクランクケースのキャビティに吐出する。圧縮機の第１のステージは、圧縮されるガスの圧縮機の吸引を、防塵容器のピストン側で、クランクケースのキャビティから果たす。
【００１０】
本発明の好ましい変形例の圧縮ユニットは、複ステージの圧縮機、例えば、４ステージの圧縮機である。この圧縮ユニットは、対をなし、互いに対向し、そして直線方向に往復移動するピストンを有している。これらピストンは、クランクケースのキャビティからモータに延びているシャフトにより駆動される、特定のタイプのクランクメカニズムのようなスコッチヨークにより、対になって駆動されることが好ましい。このシステムに従えば、ピストンロッドは、まっすぐに移動する。
【００１１】
リング状のほこりがスコッチヨークのベアリング中に入る程度を最小にするために、防塵容器が、圧縮機のクランクケースの部分中に導入されている。実質的に剛性のポリマー・プラスチック材料で形成されることが好ましいこの防塵容器は、ベアリング用ハウジングのフランジに装着されているときにクランクメカニズムを囲むキャップ若しくはカップを形成するスリーブの形態であり得る。このキャップは、ピストンロッドが内方へと延びてスコットヨークに接続するように貫通している側壁を有している。この防塵容器の側壁を貫通した貫通部には、フェルトのような材料で形成されたワッシャーの形態の、ほこりを遮断するシールが導入されることが好ましい。
【００１２】
ラインガスは、クランクケースのキャビティを最初に通り、次に、防塵容器のピストン側へとガスの流路を流れることにより、圧縮機の第１のステージに入る。また、第１のステージは、圧縮されるガスの、防塵容器の外側の領域からの吸引を行う。これらの結果、圧縮ユニット中には、差圧が生じる。スコッチヨークの周りの領域は、リング状のほこりが発生するピストンのシール側で、防塵容器の外側の圧力に対する、例えば０．２ないし０．５ｐｓｉのラインガスの圧力までの過圧から、恩恵を受けている。かくして、来るほこりのないガスの連続的な流れは、第１の圧縮ステージに入る前に、この高圧領域を通る。この流れは、ほこりがスコッチヨークの周りの領域に入るのを遮断するのを助けるように動作する。
【００１３】
以上の記載は、本発明の原理の特徴と、本発明の任意の態様の幾つかをまとめたものである。本発明は、図面に関連した好ましい実施形態の説明により、更に理解されることができる。
【発明を実施するための最良の形態】
【００１４】
図１において、ガレージの壁に取り付けられた家庭用の給油装置１は、高圧吐出ホース２が車に接続され、吸気ホース３がガス源に接続され、そして、電気コード４が標準的な家庭用コンセントに差し込まれた状態で、示されている。
【００１５】
本発明の圧縮ユニットは、好ましい変形例において、複ステージの圧縮機５、例えば、４ステージの圧縮機５である。この圧縮機は、対をなし、互いに対向し、そして直線方向に往復移動するピストン５０を有している。これらピストン５０は、モータ２７からクランクケースのキャビティ１４中に延びているドライブ/クランクシャフト５２によって駆動されるスコッチ(Scotch)ヨーク５１により、対になって駆動されることが好ましい。圧縮ユニットには、ガス源に接続されるための低圧ガスの供給口５９と、圧縮ガスを外部のリザーバに吐出するための高圧ガスの吐出口７０とが設けられている。
【００１６】
図３は、圧縮モードで動作するユニットを概略的に示している。ケーシング２６の内部のクランクケースの容積部(volume)１４中に供給されたガス６は、圧縮機５の一連の４つの圧縮ステージの第１のステージ２８に吸引される。代表的に約０．２ないし０．５ｐｓｉの圧力を有するガス６が、第１の圧縮ステージ２８によりもたらされる吸引作用により、内部のクランクケースの容積部１４中に吸引される。
【００１７】
第１のステージ２８を離れると、ガス６は、吸収チャンバ２９内に収容された乾燥ベッド(desiccant bed)７を通る。そして、乾燥されたこのガスは、吸収チャンバ２９を出ると、このステージにおいて受動的であるコンデンサ３０中に進む。そして、このガス６は、コンデンサ３０を出ると、圧縮プロセスの完了のために、圧縮機５の次の第２のステージ３２に進む。
【００１８】
前記圧縮機５と、モータ２７と、モータ用の制御回路４５とは、全てが、前記ケーシング２６中に配設されている（圧縮ブロックをケーシングの一部として数える）。電力が電源から供給される主論理コントローラ４６が、モータ用の制御回路４５を介して、モータ２７を作動させたり、モータの速度を可変速度の形態で調整したりすることができる。ケーシング２６の壁部は、モータ用の制御回路４５により発生される熱のためのヒートシンクとして、また、外部への電磁放射に対するシールドとして機能する。
【００１９】
始動時、モータの低速は、減じられるようになっており、さもなければ、始動の高電流が、電気供給システムに流される。これは、ユニットが、電気供給システムを適切に熔解する標準的な家庭用の電圧、例えば１１０ないし１２０ボルトから動作を停止することを可能にしている。始動の後に、圧縮の最初のプロセスが、モータの高速で引き起こされ得る。比較的高い圧力が、自動車の燃料リザーバ中に確立されると、モータの速度は、リングの摩耗を抑制し、かつ電力消費を制限するために低減される。このような手順は、オイルレス圧縮機５に特に適している。これは、圧縮システムが、高い背圧に抗するように高速で動作されたときに、このようなユニットの圧縮シリンダ５４中のシールリング５３の摩耗速度が速くなるためである。
【００２０】
さらに、電気モータ２７の速度は、機械的な部品から生じる固有振動数を回避するように、制御されることができる。さもなければ、ユニットにより発生される騒音並びに振動が、増加されるだろう。
【００２１】
図３並びに４に示されているように、それぞれのシリンダ５４中に装着されたピストン５０の各々には、乾性のシール５３が設けられている。これらピストン５０の各々は、ピストンロッド５７により、クランクケースのキャビティ１４中に配設されたスコッチヨークのクランクメカニズム５１に接続されている。これらピストンロッド５７は、ピストン５０に設けられた乾性のシール５３と、クランクメカニズム５１との間の仕切りを形成している防塵容器(dust control enclosure)５６の側壁５５を貫通している。この側壁は、乾性のシール５３からのほこりが、クランクメカニズム５１に入るのを遮断している。
【００２２】
図５，６，並びに７に示されているような防塵容器５６は、圧縮機５のクランクケース１４の部分中に導入されたキャップを形成するように、図３並びに４に示されているベアリング支持部５８に装着されるスリーブの形態である。この防塵容器５６には、ほこりを遮断するダストシール７１を備えた防塵容器の側壁５５を貫通した貫通部６０が設けられている。前記ロッド５７は、内方へと延びてクランクメカニズム５１に接続するように、これらダストシール７１を貫通している。このようなダストシール７１は、フェルトのような材料で形成され、かつ圧縮機の環境に適合したワッシャーの形態であることが好ましい。防塵容器５６は、同様の適合性を有した半剛性の高分子プラスチック材料で形成されることが好ましい。図示されているような防塵容器５６は、ベアリング用ハウジングのフランジに装着される。
【００２３】
前記低圧ガスの供給口５９は、スコッチヨークのメカニズム５１が存在しているクランクケースのキャビティ１４へとガス６を吐出する。圧縮機５の第１のステージ２８では、圧縮されるガス６が、防塵容器５６のピストン側で、クランクケースのキャビティ１４から、ピストン５０内に取着された第１のシリンダの供給バルブ７２を通して吸引される。ガス６は、防塵容器の領域内でクランクケースのキャビティ１４を最初に通り、次に、防塵容器の両側にリンクし、かつ部分的に制限された通路８０を通って流れることにより、圧縮機５の第１のステージ２８へと入る。また、第１のステージ２８では、圧縮されるガス６が、防塵容器５６の外部の領域から吸引される。これらのために、差圧が、圧縮ユニット中でこれら２つの領域間に一般に生じる。かくして、きたるほこりのないガス６の連続的な流れは、第１の圧縮ステージ２８に入る前に、クランクケースのキャビティ１４のこの高圧領域を通る(sweep through)。この流れは、ピストンのシールのほこりをクランクメカニズム５１内に残さないように動作する。次のステージ３２、並びに、これに続くステージへの更なるガスの流れは、シールされた導管を通して生じる。
【００２４】
さらに、低圧ガスの供給口５９からくる冷たいほこりのないガスの流れは、冷却を果たすように、防塵容器により収容されたクランクケースの容積部１４内のクランクメカニズム５１の部品の周りを最初に通る。これは、スコッチヨークの駆動部が、ベアリングの摩擦によりかなりの熱を発生するので、効果的である。
【００２５】
同様に、第２のステージ３２と、更なるステージにおいて、これらが存在する場合、防塵容器５６は、この防塵容器が与える仕切りと、維持される一般的な差圧とにより、クランクケースのキャビティ内のほこりの存在を最小にする。
【００２６】
前記スコッチヨークのメカニズム５１は、同一平面上に位置され、かつ互いに対向した２つのシリンダの機能を果たすことができる。４つのシリンダが使用される場合、１対の第２のシリンダは、第２の平面上に位置される。従って、更なるピストンロッド５０を収容する必要のある、防塵容器５６の更なる貫通部、即ち開口部６０Ａが、１対の第１の開口部６０からオフセットされる。
【００２７】
これを基礎にして、乾性のシールから生じるほこりから、クランクメカニズムを保護するシステムが、提供される。
【００２８】
上の記載は、本発明が、どのように適用されて使用され得るのかを示す明確な実施形態の説明をなしている。これら実施形態は、単なる例である。最も範囲の広い本発明、並びに、より明瞭な態様は、請求項に更に記載並びに規定されている。
【００２９】
請求項と、個々に使用される言語とは、説明された本発明の変形例に関して理解されるだろう。請求項は、このような変形例に限定されず、本発明と、個々に与えられた開示内容とを暗に含む本発明の十分な範囲をカバーするように解釈されるべきである。
【図面の簡単な説明】
【００３０】
【図１】ガレージの内壁に装着され、本発明に従った家庭用の給油装置を有するガレージに停車されている気体燃料の自動車の図を示している。
【図２】ハウジングの側板が外された装置の主部品の概略図であり、一体的なモータ/圧縮機のアッセンブリと、このアッセンブリのケーシングと、制御回路と、様々なセンサを有する他の支持部材とが含まれている。
【図３】図１並びに２の装置を横から見た断面図であり、圧縮機とモータとのアッセンブリが露出され、圧縮機の第１並びに第３のステージのシリンダに関連した断面で防塵容器の位置が示されている。
【図４】圧縮機を詳細に示す図３の拡大図である。
【図５】ピストンロッドにより図３のモータ/圧縮機のアッセンブリ中に貫通し得るホールが形成された防塵容器を示す斜視図である。
【図６】図５の防塵容器を上から見た図である。
【図７】図６の防塵容器の側方断面図である。
【図１】
2008533365.tif 000003
【図２】
2008533365.tif 000004
【図３】
2008533365.tif 000005
【図４】
2008533365.tif 000006
【図５】
2008533365.tif 000007
【図６】
2008533365.tif 000008
【図７】
2008533365.tif 000009
【国際調査報告】
2008533365.tif 000010
2008533365.tif 000011